(57)【要約】      （修正有）【課題】従来よりも使い勝手の良い加熱調理機または加熱調理システムを提供する。【解決手段】加熱部１９０、扉と、扉の開閉を検知するためのセンサ１８１と、加熱部１９０による加熱調理が終了した後に、センサ１８１を利用することによって、扉が開放されて扉が閉じられたことを検知した場合に、加熱部１９０に加熱調理を再開させるためのプロセッサ１１０とを備える、加熱調理機１００である。【選択図】図２
2019148387.tif 000002
【特許請求の範囲】
【請求項１】
加熱部と、
扉と、
前記扉の開閉を検知するためのセンサと、
前記加熱部による加熱調理が終了した後に、前記センサを利用することによって、前記扉が開放されて前記扉が閉じられたことを検知した場合に、前記加熱部に加熱調理を再開させるためのプロセッサとを備える、加熱調理機。
【請求項２】
前記プロセッサは、前記扉が開放される前の加熱対象物と前記扉が閉じられた後の加熱対象物とが同じであると判断される場合に、前記加熱部に加熱調理を再開させる、請求項１に記載の加熱調理機。
【請求項３】
重量センサをさらに備え、
前記プロセッサは、前記重量センサを利用することによって、前記扉が開放される前の重量と前記扉が閉じられた後の重量とが近い場合に、前記加熱部に加熱調理を再開させる、請求項１または２に記載の加熱調理機。
【請求項４】
操作部をさらに備え、
前記プロセッサは、前記扉が開放される前の加熱対象物と前記扉が閉じられた後の加熱対象物とが同じでないと判断される場合、前記操作部を介して再加熱の指示を受け付けた場合に前記加熱部に加熱調理を再開させる、請求項１から３のいずれか１項に記載の加熱調理機。
【請求項５】
前記プロセッサは、前記扉が開放される前の加熱対象物と前記扉が閉じられた後の加熱対象物とが同じでないと判断される場合、前記再加熱のための処理を終了する、請求項１から４のいずれか１項に記載の加熱調理機。
【請求項６】
前記プロセッサは、前記扉が閉じられた後に加熱対象物が載せられていると判断される場合に、前記加熱部に加熱調理を再開させる、請求項１に記載の加熱調理機。
【請求項７】
前記プロセッサは、前記扉が開放されてから所定の時間が経過すると、前記再加熱のための処理を終了する、請求項１から６のいずれか１項に記載の加熱調理機。
【請求項８】
前記プロセッサは、前記扉が開放されて前記扉が閉じられたことを検知した場合に、前記加熱部に予め設定された時間だけ加熱調理を再開させる、請求項１から７のいずれか１項に記載の加熱調理機。
【請求項９】
前記プロセッサは、前記扉が開放されて前記扉が閉じられたことを検知した場合に、前記加熱部に加熱調理用の自動運転を実行させる、請求項１から７のいずれか１項に記載の加熱調理機。
【請求項１０】
前記プロセッサは、前記扉が開放されて前記扉が閉じられたことを検知した場合に、加熱調理用の自動運転の目標温度を前回よりも所定値だけ高めて、前記加熱部に自動運転を実行させる、請求項１から７のいずれか１項に記載の加熱調理機。
【請求項１１】
前記プロセッサは、前記扉が開放されて前記扉が閉じられたことを検知した場合に、前記加熱部に前回の加熱調理時間に基づいて計算された時間だけ加熱調理を再開させる、請求項１から７のいずれか１項に記載の加熱調理機。
【請求項１２】
請求項１から１１のいずれか１項に記載の加熱調理機と、
前記加熱調理機と通信可能なサーバと、を備え、
前記サーバは、前記加熱調理機の過去の再加熱の時間に基づいて、前記加熱調理機に加熱調理を再開させる、加熱調理システム。
【請求項１３】
請求項１から１１のいずれか１項に記載の複数の加熱調理機と、
前記複数の加熱調理機と通信可能なサーバと、を備え、
前記サーバは、前記複数の加熱調理機ごとの過去の再加熱の時間に基づいて、前記加熱調理機に加熱調理を再開させる、加熱調理システム。
【請求項１４】
請求項１から１１のいずれか１項に記載の複数の加熱調理機と、
前記複数の加熱調理機と通信可能なサーバと、を備え、
前記サーバは、前記複数の加熱調理機の過去の再加熱の時間の平均値に基づいて、前記加熱調理機に加熱調理を再開させる、加熱調理システム。
【請求項１５】
請求項１から１１のいずれか１項に記載の加熱調理機と、
前記加熱調理機と通信可能なサーバと、を備え、
前記サーバは、加熱対象物の種類ごとの再加熱時間に基づいて、前記加熱調理機に加熱調理を再開させる、加熱調理システム。
【発明の詳細な説明】
【技術分野】
【０００１】
本発明は、飲料や食品などを加熱するための加熱調理機および加熱調理システムの技術に関する。
【背景技術】
【０００２】
飲料や食品などを加熱するための加熱調理機が知られている。たとえば、特開２００４−２１８９２２号公報（特許文献１）には、加熱調理装置が開示されている。特許文献１によると、電子レンジにおいて、加熱動作が開始された後、延長キーが操作されると、当該電子レンジは時間変更モードに入る。そして、当該電子レンジでは、時間変更モードに入ると、加熱動作に対する加熱時間のカウントが停止される。なお、加熱時間のカウントは、時間変更モードが終了すると、再開される。
【０００３】
また、特開平２−１４６４２１号公報（特許文献２）にも、加熱調理器が開示されている。特許文献２によると、調理中に調理庫の扉を開閉すると調理条件を補正する。
【先行技術文献】
【特許文献】
【０００４】
【特許文献１】特開２００４−２１８９２２号公報
【特許文献２】特開平２−１４６４２１号公報
【発明の概要】
【発明が解決しようとする課題】
【０００５】
本発明の目的は、従来よりも使い勝手の良い加熱調理機または加熱調理システムを提供することにある。
【課題を解決するための手段】
【０００６】
本発明の一態様に従うと、加熱部と、扉と、扉の開閉を検知するためのセンサと、加熱部による加熱調理が終了した後に、センサを利用することによって、扉が開放されて扉が閉じられたことを検知した場合に、加熱部に加熱調理を再開させるためのプロセッサとを備える、加熱調理機が提供される。
【発明の効果】
【０００７】
本発明によれば、従来よりも使い勝手の良い加熱調理機または加熱調理システムが提供される。
【図面の簡単な説明】
【０００８】
【図１】第１の実施の形態にかかる電子レンジ１００の外観を示すイメージ図である。
【図２】第１の実施の形態にかかる電子レンジ１００の構成を示すブロック図である。
【図３】第１の実施の形態にかかる電子レンジ１００の再加熱処理を示すフローチャートである。
【図４】第２の実施の形態にかかる電子レンジ１００の再加熱処理を示すフローチャートである。
【図５】第３の実施の形態にかかる電子レンジ１００の再加熱処理を示すフローチャートである。
【図６】第４の実施の形態にかかる電子レンジ１００の再加熱処理を示すフローチャートである。
【図７】第５の実施の形態にかかる電子レンジ１００の再加熱処理を示すフローチャートである。
【図８】第６の実施の形態にかかる電子レンジ１００の再加熱処理を示すフローチャートである。
【図９】第７の実施の形態にかかる加熱調理システム１の構成を示すイメージ図である。
【図１０】第７の実施の形態にかかるサーバ３００の構成を示すブロック図である。
【図１１】第７の実施の形態にかかるユーザデータ３２１を示すイメージ図である。
【図１２】第７の実施の形態にかかる再加熱データ３２２の第１の例を示すイメージ図である。
【図１３】第７の実施の形態にかかる再加熱データ３２２Ｂの第２の例を示すイメージ図である。
【図１４】第７の実施の形態にかかる再加熱データ３２３の第３の例を示すイメージ図である。
【図１５】第８の実施の形態にかかる電子レンジ１００の第１の再加熱処理を示すフローチャートである。
【図１６】第８の実施の形態にかかる電子レンジ１００の第２の再加熱処理を示すフローチャートである。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜電子レンジの全体構成＞
【００１０】
以下では、加熱調理機の一例としての図１に示すような電子レンジ１００の構成について説明する。本実施の形態にかかる電子レンジ１００は、図２に示すように、主たる構成要素として、ＣＰＵ１１０と、メモリ１２０と、ディスプレイ１３０、操作部１４０と、通信インターフェイス１６０と、スピーカ１７０と、扉センサ１８１・重量センサ１８２・温度センサ１８３・カメラ１８５などの各種センサと、タイマ１８９と、加熱部１９０とを含む。
【００１１】
ＣＰＵ１１０は、メモリ１２０あるいは外部の記憶媒体に記憶されているプログラムを実行することによって、電子レンジ１００の各部を制御する。
【００１２】
メモリ１２０は、各種のＲＡＭや各種のＲＯＭなどによって実現される。メモリ１２０は、ＣＰＵ１１０によって実行される調理用プログラムや再加熱用プログラムなどの各種プログラムや、ＣＰＵ１１０によるプログラムの実行により生成されたデータ、サーバから受信したデータ、操作部１４０を介して入力されたデータなどを記憶する。
【００１３】
ディスプレイ１３０は、ＣＰＵ１１０からの信号に基づいて、文字や画像などを出力する。操作部１４０は、ボタンやタッチパネルなどによって実現され、ユーザからの命令を受け付けて、当該命令をＣＰＵ１１０に入力する。なお、ディスプレイ１３０と操作部１４０とは、タッチパネルを構成してもよい。
【００１４】
通信インターフェイス１６０は、無線ＬＡＮ通信あるいは有線ＬＡＮなどの通信モジュールによって実現される。通信インターフェイス１６０は、有線通信あるいは無線通信によって他の装置との間でデータをやり取りする。すなわち、ＣＰＵ１１０は、通信インターフェイス１６０を介して、サーバやスマートフォンなどの他の装置から各種の情報を受信したり、サーバやスマートフォンなどの他の装置に各種の情報を送信したりする。なお、電子レンジ１００は、後付けの通信アダプタを利用して、データ通信するものであってもよい。
【００１５】
スピーカ１７０は、ＣＰＵ１１０からの信号に基づいて、音声を出力する。
【００１６】
扉センサ１８１は、飲食物や食器などが載置される調理室の扉１０１の開閉状態や開閉動作を検知して、検知結果をＣＰＵ１１０に伝える。重量センサ１８２は、調理室内に載置された飲食物や食器の重さを測定して、測定結果をＣＰＵ１１０に伝える。温度センサ１８３は、赤外線などを利用して調理室内に載置された飲食物や食器の温度を測定して、測定結果をＣＰＵ１１０に伝える。カメラ１８５は、動画像や静止画像を撮影して画像データをＣＰＵ１１０に伝える。
【００１７】
タイマ１８９は、現在の時刻を取得したり、所定のタイミングからの経過時間を測定したりして、当該数値をＣＰＵ１１０に伝える。
【００１８】
加熱部１９０は、アンテナや半導体増幅回路や発振器や電熱線などから構成され、ＣＰＵ１１０からの信号に基づいて、調理室内の飲料や食品を加熱する。
＜電子レンジの再加熱処理＞
【００１９】
そして、本実施の形態にかかる電子レンジ１００のＣＰＵ１１０は、加熱調理がスタートすると、メモリ１２０のプログラムに従って図３に示すような再加熱用の処理を実行する。
【００２０】
まず、ＣＰＵ１１０は、加熱調理が終了したか否かを判断する（ステップＳ１０２）。加熱調理が終了すると（ステップＳ１０２にてＹＥＳである場合）、ＣＰＵ１１０は、重量センサ１８２を利用して調理室内の重量を測定してメモリ１２０に記憶させる（ステップＳ１０４）。ＣＰＵ１１０は、タイマ１８９をスタートする（ステップＳ１０６）。
【００２１】
ＣＰＵ１１０は、扉センサ１８１を介して、調理室の扉１０１が開いたか否かを判断する（ステップＳ１０８）。調理室の扉１０１が開くことなくタイマ１８９の測定時間が所定時間、たとえば１分など、に達すると（ステップＳ１１０にてＹＥＳである場合）、ＣＰＵ１１０は、タイマ１８９をリセットして今回の再加熱処理を終了する（ステップＳ１２０）。
【００２２】
所定時間に達する前に調理室の扉１０１が開けられると（ステップＳ１０８にてＹＥＳである場合）、ＣＰＵ１１０は、扉センサ１８１を介して、調理室の扉１０１が、再度、閉じられたか否かを判断する（ステップＳ１１２）。なお、調理室の扉１０１が閉じられることなくタイマ１８９の測定時間が所定時間に達すると（ステップＳ１１４にてＹＥＳである場合）、ＣＰＵ１１０は、今回の再加熱処理を終了する（ステップＳ１２０）。なお、ステップＳ１０８において扉１０１が開けられると、ＣＰＵ１１０は、タイマ１８９をリセットおよび再スタートさせてもよい。
【００２３】
所定時間に達する前に調理室の扉１０１が再度閉じられると（ステップＳ１１２にてＹＥＳである場合）、ＣＰＵ１１０は、調理室に置かれているものが直近の加熱調理されたものと同じであるか否かを判断する。本実施の形態においては、ＣＰＵ１１０は、重量センサ１８２を利用して、調理室内の重量を測定する（ステップＳ１１６）。そして、ＣＰＵ１１０は、今回の重量と前回の重量とが近いか否かを判断する（ステップＳ１１８）。
【００２４】
ＣＰＵ１１０は、今回の重量と前回の重量とが大きく異なる場合（ステップＳ１１８にてＮＯである場合）、タイマ１８９をリセットして今回の再加熱処理を終了する（ステップＳ１２０）。
【００２５】
ＣＰＵ１１０は、今回の重量と前回の重量とが近い場合（ステップＳ１１８にてＹＥＳである場合）、調理室に置かれているものが直近の加熱調理されたものと同じであると判断して、加熱部１９０に再加熱を実行させる（ステップＳ１２４）。本実施の形態においては、ＣＰＵ１１０は、直近の加熱調理と同じ条件で、所定の時間だけ、たとえば２０秒だけ加熱部１９０を運転させる。ＣＰＵ１１０は、当該再加熱が終了すると（ステップＳ１２６にてＹＥＳである場合）、タイマをリセットして今回の再加熱処理を終了する。
【００２６】
なお、ステップＳ１２４においては、ＣＰＵ１１０は、スピーカ１７０に再加熱を行う旨のメッセージを音声出力させたり、ディスプレイ１３０に再加熱を行う旨のメッセージを表示させたりすることが好ましい。そして、ＣＰＵ１１０は、操作部１４０を介して取り消し命令を受け付けると再加熱処理を中止してもよい。
【００２７】
本実施の形態にかかる電子レンジ１００は以上のように構成されているので以下のような特徴を有する。たとえば、（１）ユーザが、電子レンジ１００を利用して加熱処理を実行する。（２）ユーザが、加熱処理後に扉１０１を開けて加熱処理後の食品を触る。（３）ユーザが、予想していたほど食品が温められていないと感じて、そのまま扉１０１を閉める。このような場合に、本実施の形態にかかる電子レンジ１００は、ユーザが他の面倒な処理を行わずとも自動的に所定時間だけ加熱調理を再開してくれる。
＜第２の実施の形態＞
【００２８】
電子レンジ１００は、図４に示すように、再加熱が終了したときに（ステップＳ１２６にてＹＥＳである場合）、ＣＰＵ１１０が、タイマ１８９をリセットしてステップＳ１０４からの処理を繰り返してもよい。
＜第３の実施の形態＞
【００２９】
上記の実施の形態においては、ＣＰＵ１１０は、重量センサ１８２を利用することによって、扉１０１を開ける前に調理室に置かれているものの重量と扉１０１を閉めた後に調理室に置かれているものの重量とが近い場合に、扉１０１を開ける前に調理室に置かれているものと扉１０１を閉めた後に調理室に置かれているものとが同じであると判断するものであった。しかしながらそのような形態には限られない。
【００３０】
たとえば、図５に示すように、ＣＰＵ１１０は、加熱調理が終了すると（ステップＳ１０２にてＹＥＳである場合）、カメラ１８５を利用して、調理室内の飲食物を撮影する（ステップＳ１０４Ｂ）。そして、ＣＰＵ１１０は、ステップＳ１１２にてＹＥＳである場合に、再度調理室内部を撮影する（ステップＳ１１６Ｂ）。ＣＰＵ１１０は、今回の画像と前回の画像とが似ている場合（ステップＳ１１８にてＹＥＳである場合）、たとえばマッチング率が８０％以上の場合、調理室に置かれているものが直近に加熱調理されたものと同じであると判断して、加熱部１９０に再加熱を実行させる（ステップＳ１２４）。
【００３１】
そのほかにも、カメラ１８５や重量センサ１８２を用いて調理室内の物体が移動していないか否かを判断したり、温度センサ１８３を用いて扉１０１が開かれた際の飲食物の温度と閉じられた際の飲食物の温度が近いか否かを判断したりしてもよい。
＜第４の実施の形態＞
【００３２】
上記の実施の形態においては、扉１０１を開ける前に調理室に置かれているものと扉１０１を閉めた後に調理室に置かれているものとが異なると判断された場合に（図３のステップＳ１１８にてＮＯである場合）、ＣＰＵ１１０が今回の再加熱処理を終了するものであった（図３のステップＳ１２０）。本実施の形態においては、図６に示すように、扉１０１を開ける前に調理室に置かれているものと扉１０１を閉めた後に調理室に置かれているものとが異なると判断された場合（ステップＳ１１８にてＮＯである場合）、ＣＰＵ１１０は、操作部１４０を介して再加熱命令を待ち受ける（ステップＳ１３２）。
【００３３】
より詳細には、ＣＰＵ１１０は、所定時間以内に再加熱命令を受け付けると（ステップＳ１３２にてＹＥＳである場合）、加熱部１９０に再加熱を実行させる（ステップＳ１２４）。一方、ＣＰＵ１１０は、所定時間以内に再加熱命令を受け付けなかった場合（ステップＳ１３４にてＹＥＳである場合）、タイマ１８９をリセットして今回の再加熱処理を終了する（ステップＳ１３６）。
【００３４】
なお、ステップＳ１１８にてＮＯである場合に、ＣＰＵ１１０は、タイマ１８９をリセットおよび再スタートさせてもよい。
＜第５の実施の形態＞
【００３５】
上記の実施の形態においては、ＣＰＵ１１０は、再加熱処理として、直近の加熱調理と同じ条件で、所定の時間だけ、たとえば２０秒だけ加熱部１９０を運転させるものであった（ステップＳ１２４）。しかしながら本実施の形態においては、図７に示すように、調理室に置かれているものが直近の加熱調理されたものと同じであると判断した場合（ステップＳ１１８にてＹＥＳである場合）、ＣＰＵ１１０は、加熱調理用の自動運転を実行する（ステップＳ１２４Ｂ）。たとえば、ＣＰＵ１１０は、自動運転として、温度センサ１８３などを利用して、所定の温度に達すると再加熱調理を終了する。
【００３６】
なお、元の加熱調理が自動運転である場合には、ＣＰＵ１１０は、ステップＳ１２４Ｂにおいて、前回の自動運転の目標温度よりも高い温度を目標温度とした自動運転を行うことが好ましい。
＜第６の実施の形態＞
【００３７】
あるいは本実施の形態においては、図８に示すように、調理室に置かれているものが直近の加熱調理されたものと同じであると判断した場合（ステップＳ１１８にてＹＥＳである場合）、ＣＰＵ１１０は、直近の加熱調理時間に基づいて再加熱時間を計算する（ステップＳ１２２）。たとえば、ＣＰＵ１１０は、直近の加熱調理時間の１０％を再加熱時間に設定する。そして、ＣＰＵ１１０は、直近の加熱調理と同じ条件で、当該再加熱時間だけ加熱部１９０を運転させる（ステップＳ１２４Ｃ）。
＜第７の実施の形態＞
【００３８】
上記の実施の形態においては、電子レンジ１００が再加熱時間などを計算するものであった。しかしながら、たとえば図９に示すように、電子レンジ１００に加えて、ルータ２００やインターネットを介して電子レンジ１００に各種情報を提供するサーバ３００を含む加熱調理システム１が提供されてもよい。本実施の形態においては、クラウド上の１または複数のサーバ３００が、再加熱時間を計算したり電子レンジ１００に当該再加熱時間を提供したりするものである。
【００３９】
より詳細には、図１０を参照して、本実施の形態にかかるサーバ３００は、主たる構成要素として、ＣＰＵ３１０と、メモリ３２０と、ディスプレイ３３０と、操作部３４０と、通信インターフェイス３６０とを含む。
【００４０】
ＣＰＵ３１０は、メモリ３２０に記憶されているプログラムを実行することによって、サーバ３００の各部を制御する。たとえば、ＣＰＵ３１０は、メモリ３２０に格納されているプログラムを実行し、各種のデータを参照することによって、後述する各種の処理を実行する。
【００４１】
メモリ３２０は、各種のＲＡＭや各種のＲＯＭなどによって実現され、サーバ３００に内包されているものであってもよいし、サーバ３００の各種インターフェイスに着脱可能なものであってもよいし、サーバ３００からアクセス可能な他の装置の記録媒体であってもよい。メモリ３２０は、ＣＰＵ３１０によって実行されるプログラムや、ＣＰＵ３１０によるプログラムの実行により生成されたデータ、入力されたデータ、ユーザデータ３２１や再加熱データ３２２などのように本実施の形態にかかる調理支援サービスに利用されるデータベースなどを記憶する。
【００４２】
ユーザデータ３２１は、図１１に示すように、ユーザ毎に、ユーザの識別情報と、ユーザ名と、家族の識別情報と、ユーザの有する電子レンジ１００などの機器の識別情報と、当該機器のアドレスと、パスワードなどの対応関係を格納する。再加熱データ３２２は、図１２に示すように、再加熱処理が実行される度に、再加熱処理の識別情報と、再加熱を実行したユーザの識別情報と、再加熱時間やワット数など再加熱に関する各種情報との対応関係を格納する。
【００４３】
ディスプレイ３３０は、ＣＰＵ３１０からの信号に基づいて、テキストや画像を表示する。操作部３４０は、サービスの管理者などの命令を受け付けて、当該命令をＣＰＵ３１０に入力する。
【００４４】
通信インターフェイス３６０は、ＣＰＵ３１０からのデータを、インターネット、キャリア網、ルータなどを介して、電子レンジ１００などの他の装置に送信する。逆に、通信インターフェイス３６０は、インターネット、キャリア網、ルータなどを介して電子レンジ１００などの他の装置からのデータを受信して、ＣＰＵ３１０に受け渡す。
【００４５】
これによって、以下のようなサービスを提供することができる。たとえば、図８のステップＳ１２２において、電子レンジ１００のＣＰＵ１１０が通信インターフェイス１６０を介してサーバ３００に再加熱時間を要求する。サーバ３００のＣＰＵ３１０は、ユーザデータ３２１を参照して電子レンジ１００のユーザを特定する。ＣＰＵ３１０は、再加熱データ３２２を参照して、当該ユーザが行う可能性が高い再加熱時間を計算する。たとえば、当該ユーザの過去の再加熱時間の平均値を計算する。ＣＰＵ３１０は、通信インターフェイス３６０を介して、再加熱時間を電子レンジ１００に送信する。電子レンジ１００のＣＰＵ１１０は、受信した再加熱時間に基づいて再加熱処理を実行する（図８のステップＳ１２４Ｃ）。
【００４６】
なお、再加熱データ３２２Ｂは、図１３に示すように、ユーザ毎、かつ、加熱対象物を特定するための情報毎に、再加熱時間やワット数など再加熱に関する各種情報を蓄積してもよい。そして、サーバ３００のＣＰＵ３１０は、電子レンジ１００から加熱対象の設定命令や画像データなどを受け付けて、対象となるユーザと加熱対象物に相応しい再加熱時間を計算してもよい。
【００４７】
あるいは、サーバ３００のＣＰＵ３１０は、電子レンジ１００からの要求に応じて、対象となる今回のユーザ以外の他のユーザの電子レンジ１００における再加熱の過去のデータを利用して再加熱時間を計算してもよい。たとえば、今回の加熱対象物の名称やメーカ名や形状や重さや画像に対応する過去の加熱対象物を特定し、当該加熱対象物に関する再加熱時間の平均などを計算することによって再加熱時間などを電子レンジ１００に提供することができる。
【００４８】
あるいは、食品メーカや本サービスの管理者によって、加熱対象物毎の、好適な再加熱時間のデータが登録されてもよい。たとえば、サーバ３００のメモリ３２０は、図１４に示すような、再加熱データ３２３を記憶してもよい。再加熱データ３２３は、加熱対象物の種類毎に、加熱対象物の識別情報と、加熱対象物を特定するための情報と、再加熱時間やワット数など再加熱に関する各種情報との対応関係を含む。これによって、サーバ３００のＣＰＵ３１０は、電子レンジ１００からの要求に応じて、今回の加熱対象物の名称やメーカ名や形状や重さや画像に基づいて加熱対象物を特定し、当該加熱対象物に関する再加熱時間を電子レンジ１００に提供することができる。
＜第８の実施の形態＞
【００４９】
上記の実施の形態においては、ＣＰＵ１１０は、扉１０１を開ける前に調理室に置かれているものと扉１０１を閉めた後に調理室に置かれているものとが同じであると判断した場合に、加熱調理を再開させるものであった。しかしながらそのような形態には限られない。
【００５０】
たとえば、図１５に示すように、ＣＰＵ１１０は、所定時間に達する前に調理室の扉１０１が再度閉じられると（ステップＳ１１２にてＹＥＳである場合）、ＣＰＵ１１０は、調理室に加熱対象物が置かれているか否かを判断する。たとえば、本実施の形態においては、ＣＰＵ１１０は、重量センサ１８２を利用して、調理室内の重量を測定する（ステップＳ２１６）。そして、ＣＰＵ１１０は、重量が０よりも大きいか否か、あるいは所定の重量、たとえば１００ｇ、よりも大きいか否かを判断する（ステップＳ２１８）。
【００５１】
ＣＰＵ１１０は、重量が０である場合、あるいは所定の重量よりも小さい場合（ステップＳ２１８にてＮＯである場合）、調理室に加熱対象物が置かれていないと判断して、タイマ１８９をリセットして今回の再加熱処理を終了する（ステップＳ１２０）。
【００５２】
ＣＰＵ１１０は、重量が０よりも大きい場合、あるいは所定の重量よりも大きい場合（ステップＳ２１８にてＹＥＳである場合）、調理室に加熱対象物が置かれていると判断して、加熱部１９０に再加熱を実行させる（ステップＳ１２４）。
【００５３】
なお、調理室に加熱対象物が置かれているか否かの判断としては重量を利用する形態には限られない。たとえば、ステップＳ２１６において、ＣＰＵ１１０は、近接センサや、画像センサや、赤外線センサなどを用いて、調理室に加熱対象物が置かれているか否かを判断してもよい。
【００５４】
なお、電子レンジ１００は、図１６に示すように、再加熱が終了したときに（ステップＳ１２６にてＹＥＳである場合）、ＣＰＵ１１０が、タイマ１８９をリセットしてステップＳ１０６からの処理を繰り返してもよい。
＜まとめ＞
【００５５】
上記の実施の形態においては、加熱部１９０、扉１０１と、扉１０１の開閉を検知するためのセンサ１８１と、加熱部１９０による加熱調理が終了した後に、センサ１８１を利用することによって、扉１０１が開放されて扉１０１が閉じられたことを検知した場合に、加熱部１９０に加熱調理を再開させるためのプロセッサ１１０とを備える、加熱調理機１００が提供される。
【００５６】
好ましくは、プロセッサ１１０は、扉１０１が開放される前の加熱対象物と扉１０１が閉じられた後の加熱対象物とが同じであると判断される場合に、加熱部１９０に加熱調理を再開させる。
【００５７】
好ましくは、加熱調理機１００は、重量センサ１８２をさらに備える。プロセッサ１１０は、重量センサ１８２を利用することによって、扉１０１が開放される前の重量と扉１０１が閉じられた後の重量とが近い場合に、加熱部１９０に加熱調理を再開させる。
【００５８】
好ましくは、加熱調理機１００は、操作部１４０をさらに備える。プロセッサ１１０は、扉１０１が開放される前の加熱対象物と扉１０１が閉じられた後の加熱対象物とが同じでないと判断される場合、操作部１４０を介して再加熱の指示を受け付けた場合に加熱部１９０に加熱調理を再開させる。
【００５９】
好ましくは、プロセッサ１１０は、扉１０１が開放される前の加熱対象物と扉１０１が閉じられた後の加熱対象物とが同じでないと判断される場合、再加熱のための処理を終了する。
【００６０】
好ましくは、プロセッサ１１０は、扉１０１が閉じられた後に加熱対象物が載せられていると判断される場合に、加熱部１９０に加熱調理を再開させる。
【００６１】
好ましくは、プロセッサ１１０は、扉１０１が開放されてから所定の時間が経過すると、再加熱のための処理を終了する。
【００６２】
好ましくは、プロセッサ１１０は、扉１０１が開放されて扉１０１が閉じられたことを検知した場合に、加熱部１９０に予め設定された時間だけ加熱調理を再開させる。
【００６３】
好ましくは、プロセッサ１１０は、扉１０１が開放されて扉１０１が閉じられたことを検知した場合に、加熱部１９０に加熱調理用の自動運転を実行させる。
【００６４】
好ましくは、プロセッサ１１０は、扉１０１が開放されて扉１０１が閉じられたことを検知した場合に、加熱調理用の自動運転の目標温度を前回よりも所定値だけ高めて、加熱部１９０に自動運転を実行させる。
【００６５】
好ましくは、プロセッサ１１０は、扉１０１が開放されて扉１０１が閉じられたことを検知した場合に、加熱部１９０に前回の加熱調理時間に基づいて計算された時間だけ加熱調理を再開させる。
【００６６】
好ましくは、上記の加熱調理機１００と、加熱調理機１００と通信可能なサーバ３００と、を備える加熱調理システム１が提供される。サーバ３００は、加熱調理機１００の過去の再加熱の時間に基づいて、加熱調理機１００に加熱調理を再開させる。
【００６７】
好ましくは、上記の複数の加熱調理機１００と、複数の加熱調理機１００と通信可能なサーバ３００と、を備える加熱調理システム１が提供される。サーバ３００は、複数の加熱調理機１００ごとの過去の再加熱の時間に基づいて、加熱調理機１００に加熱調理を再開させる。
【００６８】
好ましくは、上記の複数の加熱調理機１００と、複数の加熱調理機１００と通信可能なサーバ３００と、を備える加熱調理システム１が提供される。サーバ３００は、複数の加熱調理機１００の過去の再加熱の時間の平均値に基づいて、加熱調理機１００に加熱調理を再開させる。
【００６９】
好ましくは、上記の加熱調理機１００と、加熱調理機１００と通信可能なサーバ３００と、を備える加熱調理システム１が提供される。サーバ３００は、加熱対象物の種類ごとの再加熱時間に基づいて、加熱調理機１００に加熱調理を再開させる。
【００７０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７１】
１          ：加熱調理システム
１００      ：電子レンジ（加熱調理機）
１０１      ：扉
１１０      ：ＣＰＵ
１２０      ：メモリ
１３０      ：ディスプレイ
１４０      ：操作部
１６０      ：通信インターフェイス
１７０      ：スピーカ
１８１      ：扉センサ
１８２      ：重量センサ
１８３      ：温度センサ
１８５      ：カメラ
１８９      ：タイマ
１９０      ：加熱部
２００      ：ルータ
３００      ：サーバ
３１０      ：ＣＰＵ
３２０      ：メモリ
３２１      ：ユーザデータ
３２２      ：再加熱データ
３２２Ｂ    ：再加熱データ
３２３      ：再加熱データ
３３０      ：ディスプレイ
３４０      ：操作部
３６０      ：通信インターフェイス
【図１】
2019148387.tif 000003
【図２】
2019148387.tif 000004
【図３】
2019148387.tif 000005
【図４】
2019148387.tif 000006
【図５】
2019148387.tif 000007
【図６】
2019148387.tif 000008
【図７】
2019148387.tif 000009
【図８】
2019148387.tif 000010
【図９】
2019148387.tif 000011
【図１０】
2019148387.tif 000012
【図１１】
2019148387.tif 000013
【図１２】
2019148387.tif 000014
【図１３】
2019148387.tif 000015
【図１４】
2019148387.tif 000016
【図１５】
2019148387.tif 000017
【図１６】
2019148387.tif 000018